(57)【要約】【課題】    地震や火災などの災害時に、特にホテルの床や廊下の絨毯などが火災の熱で焼けた状態の所を避難する際や、ビル周囲のガラス片やブロック片、金属片などの瓦礫が散乱する場所を避難する際に、熱や傷などに弱い靴を火災の熱や瓦礫から保護するシューズカバーを提供する。【解決手段】    地震や火災による避難の際に、スニーカーやゴム底靴などの一般的に利用されている布製やゴム製、合成樹脂製の履物の外部を覆って保護する、耐火・耐熱性及び耐久性を有する靴底部材を設けた靴カバーを形成したことを特徴とする。【選択図】  図１
2013255738.tif 000002
【特許請求の範囲】
【請求項１】
地震や火災による避難の際に、スニーカーやゴム底靴などの一般的に利用されている布製やゴム製、合成樹脂製の履物の外部を覆って保護する、耐火・耐熱性及び耐久性を有する靴底部材を設けた靴カバーを形成したことを特徴とする防災用シューズカバー。
【請求項２】
上記靴底部材を設けた靴カバーは、靴先収容部と、踵の固定部とを設けた突っ掛けタイプに形成したことを特徴とする請求項１記載の防災用シューズカバー。
【請求項３】
上記靴底部材を設けた靴カバーは、靴先収容部と、側から上部へ包み込む側面部と、踵の固定部とを設けた短靴体タイプに形成したことを特徴とする請求項１記載の防災用シューズカバー。
【請求項４】
上記靴底部材を設けた靴カバーは、靴先収容部と、側から上部へ包み込む側面部と、踵の固定部と、足首上袋体部を設けた長靴タイプに形成したことを特徴とする請求項１記載の防災用シューズカバー。
【請求項５】
上記靴底部材を設けた靴カバーは、全体を筒体状の袋体タイプに形成したことを特徴とする請求項１記載の防災用シューズカバー。
【発明の詳細な説明】
【技術分野】
【０００１】
この発明は、地震災害や火災などで避難する際に、安全に使用するための防災用シューズカバーに関するものである。
【背景技術】
【０００２】
従来一般に、屋外用の靴を覆うための靴カバー、シューズカバーは種々考えられている。
例えば、雨天用の靴カバー、土砂や埃から靴を保護するカバー、土足に対して床面や室内の汚れを防ぐ靴カバー、氷雪に対する靴カバー、さらにファッション性を考えた靴カバーなどが知られている。
【０００３】
また、先願特許技術として、特許文献１（特開２００３−３０４９０１号公報）「靴」には、図７に示すように、デザイン的に優れ実用的な機能を備えた靴カバー１として、靴本体２を収容し、複数の係止部３に靴ひもを掛け止めて一体化可能にした靴カバー１の構成が開示されている。
【０００４】
特許文献２（特開２０１１−２１２４６１号公報）「クリート保護靴カバー」には、図８に示すように、クリート靴２（スパイク靴）のクリート３（スパイク）を保護し且つ床も保護するように、靴底上の前後に弾力性や伸縮性を有する部材を収容するパッド４を設け、クリート靴２の甲部を保持ストラップ５で固定するクリート保護靴カバー１が開示されている。
【０００５】
特許文献３（登録実用新案第３００５８７５号公報）「シューズ用カバースパイク」には、図９に示すように、日常履くシューズの上からスパイク２の付いたカバー１を履いて、氷雪路の歩行を安全にするように、シューズカバー１の底を肉厚に構成して、底に所要数のスパイク２か、硬い材質の小突起片を多数植設し、カバーの止め部はバンド３を用いて、ハイヒールやパンプス等にも対応させる構成が開示されている。
【０００６】
特許文献４（特開２００４−３０５４２７号公報）「長靴」には、図１０に示すように、携行が容易でかつ簡単に装着できる長靴１の構成として、靴２の履き口３、靴カバー部４、折り畳み可能な筒状の胴部５、気体を送出する気体保持・供給手段、起立姿勢状態保持手段６などを有する構成が開示されている。
【先行技術文献】
【特許文献】
【０００７】
【特許文献１】特開２００３−３０４９０１号公報
【特許文献２】特開２０１１−２１２４６１号公報
【特許文献３】登録実用新案第３００５８７５号公報
【特許文献４】特開２００４−３０５４２７号公報
【発明の概要】
【発明が解決しようとする課題】
【０００８】
従来一般の靴カバー・シューズカバーは、雨や土埃などから靴を保護するもの、床面や室内の汚れを防ぐものであって、震災時の避難用のものではなく、耐火性・耐熱性、危険性に配慮されてはいなかった。
【０００９】
また、図７に示す先願特許文献１（特開２００３−３０４９０１号公報）「靴」は、ファッション性に優れ、実用的な機能を備えた靴カバー１であるが、緊急避難時に使用するものではない。
【００１０】
図８に示す特許文献２（特開２０１１−２１２４６１号公報）「クリート保護靴カバー」は、クリート靴２（スパイク靴）のクリート３（スパイク）を収容して保護し且つ床も保護するものであるが、震災時の避難用のものではなく、耐火性・耐熱性に配慮されたものではなかった。
【００１１】
図９に示す特許文献３（登録実用新案第３００５８７５号公報）「シューズ用カバースパイク」は、日常履くシューズの上からスパイク２の付いたカバー１を履いて、氷雪路の歩行を安全にするものであるが、震災時の避難用のものではなく、耐火性・耐熱性を配慮したものではなかった。
【００１２】
図１０に示す特許文献４（特開２００４−３０５４２７号公報）「長靴」は、携行が容易でかつ簡単に装着できるため雨天時に便利な長靴１であるが、震災時の避難用のものではなく、耐火性・耐熱性を配慮したものではなかった。
【００１３】
このように、従来の技術はいずれも美的、防水、保護を主体とするとしたものであって、震災時の避難用のものではなく、耐火性・耐熱性を配慮したものではなかった。
【００１４】
この発明は上述のような従来技術が有する問題点に鑑みてなされたもので、その目的とするところは、地震や火災などの災害時、特にホテルの床や廊下の絨毯などが火災の熱で焼けた状態の所を避難する際や、ビル周囲のガラス片やブロック片、金属片などの瓦礫が散乱する場所を避難する際に、熱や傷などに弱い靴を火災の熱や瓦礫から保護するシューズカバーを提供する。
【課題を解決するための手段】
【００１５】
請求項１の発明に係る防災用シューズカバーは、地震や火災による避難の際に、スニーカーやゴム底靴などの一般的に利用されている布製やゴム製、合成樹脂製の履物の外部を覆って保護する、耐火・耐熱性及び耐久性を有する靴底部材を設けた靴カバーを形成したことを特徴とする。
【００１６】
請求項２の発明に係る防災用シューズカバーは、上記請求項１記載の靴底部材を設けた靴カバーは、靴先収容部と、踵の固定部とを設けた突っ掛けタイプに形成したことを特徴とする。
【００１７】
請求項３の発明に係る防災用シューズカバーは、上記請求項１記載の靴底部材を設けた靴カバーは、靴先収容部と、側から上部へ包み込む側面部と、踵の固定部とを設けた短靴体タイプに形成したことを特徴とする。
【００１８】
請求項４の発明に係る防災用シューズカバーは、上記請求項１記載の靴底部材を設けた靴カバーは、靴先収容部と、側から上部へ包み込む側面部と、踵の固定部と、足首上袋体部を設けた長靴タイプに形成したことを特徴とする。
【００１９】
請求項５の発明に係る防災用シューズカバーは、上記請求項１記載の靴底部材を設けた靴カバーは、全体を筒体状の袋体タイプに形成したことを特徴とする。
【発明の効果】
【００２０】
請求項１の発明に係る防災用シューズカバーは、地震や火災による避難の際に、スニーカーやゴム底靴などの一般的に利用されている布製やゴム製、合成樹脂製の履物の外部を覆って保護する、耐火・耐熱性及び耐久性を有する靴底部材を設けた靴カバーを形成したので、火災などの熱に強く、またガラス片やブロック片、金属片などから保護するため、火傷や怪我などをすることがない。
【００２１】
請求項２の発明に係る防災用シューズカバーは、上記請求項１記載の靴底部材を設けた靴カバーは、靴先収容部と、踵の固定部とを設けた突っ掛けタイプに形成したので、前後を固定する構造で着脱簡単、機能性に優れる。
【００２２】
請求項３の発明に係る防災用シューズカバーは、上記請求項１記載の靴底部材を設けた靴カバーは、靴先収容部と、側から上部へ包み込む側面部と、踵の固定部とを設けた短靴体タイプに形成したので、短靴やスニーカーの全体を挿入し、締付け固定されるため、確りとフィットして安定化する。
【００２３】
請求項４の発明に係る防災用シューズカバーは、上記請求項１記載の靴底部材を設けた靴カバーは、靴先収容部と、側から上部へ包み込む側面部と、踵の固定部と、足首上袋体部を設けた長靴タイプに形成したので、靴全体をすっぽりと収容し、ダブダブとならず確りと安定化し、また雨天時には長靴としての防水効果も有する。
【００２４】
請求項５の発明に係る防災用シューズカバーは、上記請求項１記載の靴底部材を設けた靴カバーは、全体を筒体状の袋体タイプに形成したので、靴やスニーカーの大きさや形状に制約されず、一時的に便利に使用することができ、さらに、貴重品や医薬品などを収納して緊急避難時の非常時持出し用袋体として、多目的に使用することができる。
【図面の簡単な説明】
【００２５】
【図１】本発明に係る突っ掛けタイプの防災用シューズカバーの斜視説明図である。
【図２】短靴体タイプの防災用シューズカバーの斜視説明図である。
【図３】長靴タイプの防災用シューズカバーの斜視説明図である。
【図４】フード付きブーツタイプの防災用シューズカバーの斜視説明図である。
【図５】袋体タイプの防災用シューズカバーの斜視説明図である。
【図６】多目的袋体の防災用シューズカバーの斜視説明図である。
【図７】従来例１、ファッション性に配慮したカバーの説明図である。
【図８】従来例２、クリート・スパイク収納を配慮したカバーの説明図である。
【図９】従来例３、氷雪対策スパイク付きカバーの説明図である。
【図１０】従来例４、雨対策カバーの説明図である。
【発明を実施するための形態】
【００２６】
本発明に係る防災用シューズカバー１の実施形態例について図１から図６を参照しながら説明する。本発明は下記の実施形態にのみ限定されるものではない。本発明の要旨を逸脱しない範囲で下記の実施形態に変更（例えば構成要素の省略または付加、構成要素の形状の変更等）を加えることが出来るのはもちろんである。なお、図は概略を示すもので、一部のみを描き詳細構造は省略した。
【００２７】
防災用シューズカバー１を構成する靴底部材２は、スニーカーやゴム底靴などの一般的に利用されている布製やゴム製、合成樹脂製の履物の外部を覆って保護する、高い熱や刺し傷などに強く耐火・耐熱性及び耐久性を有する部材、例えば牛クロム皮材、耐火・耐熱ガラス繊維材、耐熱合成ゴム材などからなる二種耐熱靴とする。
地震や火災などの災害時に、例えばホテルの床や廊下の絨毯などが火災の熱で焼け爛れた状態の所を避難する際や、ビル周囲のガラス片やブロック片、金属片など硬い尖った瓦礫が散乱する場所を避難する際に、一般の履物であるスニーカーやサンダルやゴム底靴などの上から防災用シューズカバー１を履くことにより、を火災の熱や瓦礫から保護する。熱に強いため火傷を負うことがなく、また鋭利な物に対して強いためガラスの破片やクギなどの鋭利な物を踏んでも怪我などをすることがない。
【００２８】
図１は突っ掛けタイプの防災用シューズカバー１Ａの全体側面説明図で、２Ａは靴底部材、３は爪先上面部、４は踵部、５は締付バンド、６は巻付けバンドを示す。
短靴やスニーカーＳを矢印のように、突っ掛けタイプの防災用シューズカバー１Ａに上から当て嵌めて、前後の締付バンド５、６で締付けて確りと固定する。
【００２９】
図２は短靴体タイプの防災用シューズカバー１Ｂの全体側面説明図で、２Ｂは靴底部材、３は足甲の爪先上面部、４は踵部、７ａ、７ｂは締付用布ファスナー（登録商標：マジックテープ）を示す。
靴底部材２Ｂは、耐火性・耐熱性を有する部材で形成し、二種耐熱の安全靴とする。
【００３０】
短靴やスニーカーＳの全体を矢印のように、広口にした短靴体タイプの防災用シューズカバー１Ｂに挿入し、締付用布ファスナー７ａ、７ｂで確りとフィットさせて固定する。
【００３１】
図３はブーツタイプの防災用シューズカバー１Ｃの全体側面説明図で、２Ｃは靴底部材、３は爪先上面部、４は踵部、８は筒体部を示す。
靴底部材２Ｃは、耐火性・耐熱性を有する部材で形成し、筒体部８は開口構造にして、靴内部には隙間を埋める弾力性を有するクッション材９を介装する。
【００３２】
矢印のように短靴やスニーカーＳの全体を、ブーツタイプの防災用シューズカバー１Ｃにすっぽりと楽に収容し、クッション材９に覆われるため、ダブダブとならず確りと安定化する。また雨天時には、防水効果を有する長靴として使用することができる。
【００３３】
図４はフード付きブーツタイプの防災用シューズカバー１Ｄの全体側面説明図で、２Ｄは靴底部材、３は爪先上面部、４は踵部、８は筒体部、９は繋ぎ部、１０はフード部、１１は締付部を示す。
靴底部材２Ｄは、耐火性・耐熱性を有する部材で形成し、筒体部８は開口構造にして、フード部１０は、伸縮性を有する繊維織物材で形成する。
【００３４】
フード付きブーツタイプの防災用シューズカバー１Ｄは、そのフード部１０にすっぽりと膝までを楽に収容し、ダブダブとならずソックスのように膝の上で確りと締め付けて安定化して足全体の防水効果も有するため、浸水、泥水、深いぬかるみにも対応することができる。
【００３５】
図５は袋体タイプの防災用シューズカバー１Ｅの全体側面説明図で、２Ｅは靴底部材、１２は足先袋体部、１３は足首袋体部、１４は締付紐部を示す。
靴底部材２Ｅは、耐火性・耐熱性を有する部材で形成し、袋体部１２、１３は、防水加工した軽量な薄手の伸縮性を有する繊維材で形成する。
【００３６】
この袋体タイプの防災用シューズカバー１Ｅは、伸縮自在で靴やスニーカーの大きさや形状に制約されないため、靴や膝の一時的な濡れ防止や汚れ対策などにも便利に使用することができる。
【００３７】
図６は多目的袋体の防災用シューズカバー１Ｆを示す。
１５筒状袋体、１６は入り口、１７は締付紐の事例である。底部２Ｆは、耐火性・耐熱性を有する部材で、防水加工した軽量な薄手のシート材で形成する。
【００３８】
この多目的袋体の防災用シューズカバー１Ｆは、緊急避難時の貴重品、医薬品、食料品など、非常時持出し品を収納することができるため、筒状袋体１５を複数用意しておいて多目的に使用することもできる。
【産業上の利用可能性】
【００３９】
上記防災用シューズカバーは、災害時のみならず、靴や足の保護が望まれる状況で、例えば気候の急変時や悪天候の際に、キャンプ場、田畑や湿地帯、山間部などの場所において、適宜使用することができる。
【符号の説明】
【００４０】
１防災用シューズカバー      
２靴底部材      
３爪先上面部      
４踵部      
５締付バンド      
６巻付けバンド      
７ａ、７ｂ締付布ファスナー      
８筒体部      
９繋ぎ部      
１０フード部      
１１締付部      
１２足先袋体部      
１３足首袋体部      
１４締付紐部      
１５筒状袋体      
１６入り口      
１７締付紐      
【図１】
2013255738.tif 000003
【図２】
2013255738.tif 000004
【図３】
2013255738.tif 000005
【図４】
2013255738.tif 000006
【図５】
2013255738.tif 000007
【図６】
2013255738.tif 000008
【図７】
2013255738.tif 000009
【図８】
2013255738.tif 000010
【図９】
2013255738.tif 000011
【図１０】
2013255738.tif 000012